(57)【要約】  調合剤供給器具とともに使用されるカップリングなどの駆動シャフトカップリングが提供される。駆動シャフトカップリングは、一般に、駆動歯車と従動歯車とを含み、駆動歯車及び従動歯車のうち一方は、軸方向の平行移動を可能にするために付勢部材を有する。駆動シャフトカップリングは、一般に、駆動歯車から従動歯車に回転を伝達するように構成される。一態様では、駆動シャフトカップリングは、カップリングが非係合位置から係合位置まで径方向に滑動するときに、駆動歯車と従動歯車の整列及び結合が可能である。
2020534953.tif 000002
【特許請求の範囲】
【請求項１】
第１の中心軸を定義する駆動歯車本体を有している駆動歯車と、
第２の中心軸を定義する従動歯車本体を有している従動歯車であって、前記第１の中心軸と第２の中心軸とが整列する場合に、前記従動歯車が前記駆動歯車の回転時に回転されるように、前記駆動歯車が前記従動歯車と選択的に係合するように構成されている、前記従動歯車と、
非係合位置と係合位置との間において前記駆動歯車及び前記従動歯車のうち一方を前記駆動歯車及び前記従動歯車のうち他方に対して径方向に滑動させるように構成されている付勢部材と、
を備えている、選択的係合カップリング。
【請求項２】
前記駆動歯車及び前記従動歯車のうち一方が、前記駆動歯車及び前記従動歯車のうち他方から軸方向に離れて移動するように構成される、請求項１に記載の選択的係合カップリング。
【請求項３】
前記駆動歯車及び前記従動歯車のうち前記一方が、前記第１の中心軸及び第２の中心軸が整列しない前記非係合位置と、前記第１の中心軸及び第２の中心軸が実質的に整列する前記係合位置との間で移動されるときに、前記従動歯車が前記駆動歯車から軸方向に離れて移動するように構成される、請求項１に記載の選択的係合カップリング。
【請求項４】
前記付勢部材が、前記第２の中心軸と実質的に整列されるはねである、請求項１に記載の選択的係合カップリング。
【請求項５】
前記駆動歯車が前記駆動歯車本体から軸方向に突出する駆動歯を含み、前記駆動歯が、前記駆動歯車及び前記従動歯車のうち前記一方が前記非係合位置から前記係合位置に移動されるときに前記駆動歯車及び前記従動歯車のうち前記一方を前記駆動歯車及び前記従動歯車のうち前記他方から軸方向に離れて進めるために、前記従動歯車と係合するように構成された第１の斜面を有する、請求項２に記載の選択的係合カップリング。
【請求項６】
前記従動歯車が前記従動歯車本体から軸方向に突出する従動歯を含み、前記従動歯が、前記駆動歯車及び前記従動歯車のうち前記一方が前記非係合位置から前記係合位置に移動されるときに前記駆動歯車及び前記従動歯車のうち前記一方を前記駆動歯車及び前記従動歯車のうち前記他方から軸方向に離れて進めるために、前記第１の斜面と整合するように構成された第２の斜面を有する、請求項５に記載の選択的係合カップリング。
【請求項７】
前記駆動歯が、前記駆動歯車及び前記従動歯車のうち前記一方が前記係合位置から前記非係合位置に移動されるときに前記駆動歯車及び前記従動歯車のうち前記一方を前記駆動歯車及び前記従動歯車のうち前記他方から軸方向に離れて進めるために、前記従動歯車と整合するように構成されたカム部材を含む、請求項５に記載の選択的係合カップリング。
【請求項８】
前記駆動歯が、前記係合位置内で前記従動歯の第２の係合面と選択的に係合するように構成された係合面を含む、請求項６に記載の選択的係合カップリング。
【請求項９】
前記駆動歯が、前記第１の係合面が前記第２の係合面に当接するように前記駆動歯車及び前記従動歯車のうち前記一方が前記係合位置に移動されるときに、前記駆動歯に対して前記従動歯を回転方向に位置決めするように構成されたカム部材を含む、請求項８に記載の選択的係合カップリング。
【請求項１０】
前記付勢部材は、前記第１の中心軸及び第２の中心軸が整列するとき、前記従動歯車を前記駆動歯車の方に軸方向に進める、請求項９に記載の選択的係合カップリング。
【請求項１１】
前記付勢部材が、前記第２の中心軸と実質的に整列されるはねである、請求項１０に記載の選択的係合カップリング。
【請求項１２】
第１の中心軸を形成する駆動歯車本体を有する駆動歯車であって、駆動歯を有する、駆動歯車と、
第２の中心軸を形成する従動歯車本体を有しかつ従動歯を有する従動歯車であって、前記従動歯車が前記駆動歯車の回転時に回転されるように前記第１の中心軸及び第２の中心軸が実質的に整列するときに前記駆動歯が前記従動歯と選択的に係合するように構成される、従動歯車と、
前記駆動歯車及び前記従動歯車のうち一方が、前記第１の中心軸及び第２の中心軸が整列しない非係合位置と、前記第１の中心軸及び第２の中心軸が実質的に整列する係合位置との間で前記従動歯車に対して前記駆動歯車を径方向に滑動させるときに、前記駆動歯車及び前記従動歯車のうち前記他方から少なくとも軸方向に離れて移動することを可能にするように構成された付勢部材とを備える、選択的係合カップリング。
【請求項１３】
前記駆動歯が、前記駆動歯車本体から軸方向に突出し、前記駆動歯車が前記非係合位置から前記係合位置に移動されるときに、前記駆動歯車及び前記従動歯車のうち前記一方を前記駆動歯車及び前記従動歯車のうち前記他方から軸方向に離れるように進めるために、前記従動歯と係合するように構成された第１の斜面を含む、請求項１２に記載の選択的係合カップリング。
【請求項１４】
前記従動歯が、前記従動歯車本体から軸方向に突出し、前記駆動歯車が前記非係合位置から前記係合位置に移動されるときに、前記駆動歯車及び前記従動歯車のうち前記一方を前記駆動歯車及び前記従動歯車のうち前記他方から軸方向に離れるように進めるために、前記第１の斜面と整合するように構成された第２の斜面を含む、請求項１３に記載の選択的係合カップリング。
【請求項１５】
前記駆動歯が、前記係合位置内で前記従動歯の第２の係合面と選択的に係合するように構成された係合面を含む、請求項１２に記載の選択的係合カップリング。
【請求項１６】
前記駆動歯が、前記第１の係合面が前記第２の係合面に当接するように前記駆動歯車が前記係合位置に移動されるときに、前記駆動歯に対して前記従動歯を回転方向に位置決めするように構成されたカム部材を含む、請求項１５に記載の選択的係合カップリング。
【請求項１７】
前記付勢部材は、前記第１の中心軸及び第２の中心軸が整列するとき、前記従動歯車を前記駆動歯車の方に軸方向に進める、請求項１６に記載の選択的係合カップリング。
【請求項１８】
駆動歯車及び従動歯車のうち少なくとも一方を前記駆動歯車及び前記従動歯車のうち他方から軸方向に離れて移動させながら、前記駆動歯車及び前記従動歯車のうち前記一方を前記駆動歯車及び前記従動歯車のうち前記他方と実質的に軸方向に整列するように滑動させるステップと、
前記駆動歯車が前記従動歯車と実質的に軸方向に整列するときに前記駆動歯車及び前記従動歯車のうち前記少なくとも一方を前記駆動歯車及び前記従動歯車のうち前記他方の方に軸方向に進めるステップと、
前記駆動歯車の駆動歯を前記従動歯車の従動歯と係合させるステップとを含む、方法。
【請求項１９】
前記駆動歯車及び前記従動歯車のうち前記一方が滑動されて前記駆動歯車及び前記従動歯車のうち前記他方と実質的に軸方向に整列するときに、前記駆動歯車の第１の斜面を前記従動歯車の従動歯と整合させるステップをさらに含む、請求項１８に記載の方法。
【請求項２０】
前記駆動歯車及び前記従動歯車のうち前記一方が滑動されて前記駆動歯車及び前記従動歯車のうち前記他方と実質的に軸方向に整列するときに、前記従動歯車の第２の斜面を前記駆動歯車の前記第１の斜面と整合させるステップをさらに含む、請求項１９に記載の方法。
【請求項２１】
前記駆動歯車及び前記従動歯車のうち前記一方が滑動されて前記駆動歯車及び前記従動歯車のうち前記他方と実質的に軸方向に整列しなくなるときに、前記駆動歯車の第１の斜面を前記従動歯車の第２の斜面と整合させるステップをさらに含む、請求項１８に記載の方法。
【請求項２２】
前記従動歯車を前記駆動歯車と係合させるために、前記駆動歯に対する前記従動歯の回転方向の位置を調整するステップをさらに含む、請求項２１に記載の方法。
【請求項２３】
所定の容積の調合物を保持するように構成されている液体容器と、
入口部材を有している液体受容チャンバであって、前記液体容器が前記液体受容チャンバに取り外し可能に結合可能とされ、結合時に前記入口部材が前記液体容器のオリフィスと整合されることによって、前記液体容器から前記液体受容チャンバに至る前記調合物の調節された流れが可能となる、前記液体受容チャンバと、
を備えている、調合物供給システム。
【請求項２４】
前記調合物供給システムが、前記オリフィスを覆う膜を備えている、請求項２３に記載の調合物供給システム。
【請求項２５】
前記膜が、前記液体容器が前記液体受容チャンバに結合するときに前記入口部材によって貫通可能とされる、請求項２４に記載の調合物供給システム。
【請求項２６】
前記オリフィスが、前記調合物の流れが前記液体容器に対して流入及び流出するように構成されている、請求項２３に記載の調合物供給システム。
【請求項２７】
前記液体容器が、前記オリフィスから流出する前記調合物の流れを調節するように構成されている弁を備えている、請求項２３に記載の調合物供給システム。
【請求項２８】
前記オリフィスが、前記液体容器が前記液体受容チャンバに結合されるまで閉じられている、請求項２３に記載の調合物供給システム。
【請求項２９】
前記液体容器が、前記液体チャンバからの調合物の前記流れを実質的に防止しながら前記調合物の気体放出を可能にするように構成された、前記オリフィスを覆う膜をさらに備える、請求項２８に記載の調合物供給システム。
【請求項３０】
前記液体容器が、前記調合物が前記液体チャンバから流れるにつれて少なくとも部分的に崩れる可とう性壁を含む、請求項２３に記載の調合物供給システム。
【請求項３１】
前記液体容器が、前記液体容器の長さにわたって延びる突起を含み、前記突起が、前記可とう性壁が少なくとも部分的に崩れるときに前記調合物のための流路を生成するように構成される、請求項３０に記載の調合物供給システム。
【請求項３２】
前記液体容器が、前記液体容器に対する筐体の、対応して成形された領域と嵌合する容器形状を含む、請求項２３に記載の調合物供給システム。
【請求項３３】
前記液体容器が、前記筐体内に挿入されるときに回転方向に配向されるように、前記液体容器が平らな壁を含む、請求項３２に記載の調合物供給システム。
【請求項３４】
前記液体容器が、第１の調合物を保持するように構成された第１の内部嚢を含む、請求項２３に記載の調合物供給システム。
【請求項３５】
前記液体容器が、第２の調合物を保持するように構成された第２の内部嚢をさらに含む、請求項３４に記載の調合物供給システム。
【請求項３６】
前記液体受容チャンバが、前記液体容器から前記調合物を取り出すように構成される、請求項２３に記載の調合物供給システム。
【請求項３７】
前記調合物が、永続的頭髪染料、半永続的頭髪染料、顕色剤、コンディショナー、育毛トリートメント、ＲＯＧＡＩＮＥ（登録商標）、頭髪タンパク質トリートメント、ジスルフィド結合補修頭髪トリートメント、ＯＬＡＰＬＥＸ（登録商標）、液体頭髪トリートメント、及び液体頭皮トリートメントから成るグループから選択される、請求項２３に記載の調合物供給システム。
【請求項３８】
頭髪頭皮調合物供給システムであって、
所定の容積の調合物を保持するように構成されている液体容器と、
入口部材を有している液体受容チャンバであって、前記液体容器が前記液体受容チャンバに取り外し可能に結合可能とされ、結合時に前記入口部材が前記液体容器のオリフィスと整合されることによって、前記液体容器から前記液体受容チャンバに至る前記調合物の流れが可能となる、液体受容チャンバと、
前記液体容器から前記調合物を取り出すために、前記液体受容チャンバと流通しているポンプと、
前記頭髪頭皮調合物供給システムから前記調合物を排出するように構成されている、前記ポンプと流通している調合物供給ノズルと、
を備えている、頭髪頭皮調合物供給システム。
【請求項３９】
前記頭髪頭皮調合物供給システムが、前記オリフィスを覆う膜を備えている、請求項３８に記載の頭髪頭皮調合物供給システム。
【請求項４０】
前記膜が、前記液体容器が前記液体受容チャンバに結合するときに前記入口部材によって貫通可能とされる、請求項３９に記載の頭髪頭皮調合物供給システム。
【請求項４１】
前記液体容器が、前記オリフィスから流出する前記調合物の流れを調節するように構成されている弁を備えている、請求項３８に記載の頭髪頭皮調合物供給システム。
【請求項４２】
前記オリフィスが、前記液体容器が前記液体受容チャンバに結合されるまで前記調合物を前記液体容器の内部に保持するように閉じられている、請求項３８に記載の頭髪頭皮調合物供給システム。
【請求項４３】
前記液体容器が、前記液体チャンバからの調合物の前記流れを実質的に防止しながら前記調合物の気体放出を可能にするように構成された、前記オリフィスを覆う膜をさらに備える、請求項４２に記載の頭髪頭皮調合物供給システム。
【請求項４４】
前記液体容器が、前記液体容器に対する筐体の、対応して成形された領域と嵌合する容器形状を含む、請求項３８に記載の頭髪頭皮調合物供給システム。
【請求項４５】
前記液体容器が前記筐体内に挿入されるときに回転方向に配向されるように、前記液体容器が平らな壁を含む、請求項４４に記載の頭髪頭皮調合物供給システム。
【請求項４６】
前記調合物が、永続的頭髪染料、半永続的頭髪染料、顕色剤、コンディショナー、育毛トリートメント、ＲＯＧＡＩＮＥ（登録商標）、頭髪タンパク質トリートメント、ジスルフィド結合補修頭髪トリートメント、ＯＬＡＰＬＥＸ（登録商標）、液体頭髪トリートメント、及び液体頭皮トリートメントから成るグループから選択される、請求項３８に記載の頭髪頭皮調合物供給システム。
【請求項４７】
杆体状のハンドルと、
前記ハンドルに取り外し可能に結合可能とされる消耗品アセンブリと、
を備えている頭髪着色器具において、
前記消耗品アセンブリが、第１の調合物液体源と選択的に流通している液体入口を具備するマニホールドチャンバと、前記マニホールドチャンバから第１の調合物を排出するように構成されている複数の出口ノズルと、前記マニホールドチャンバの内部に向かって延在している分配突起であって、前記第１の調合物の流れを前記液体入口から複数の前記出口ノズルそれぞれに方向づけるように構成されている前記分配突起とを有している、頭髪着色器具。
【請求項４８】
複数の出口ノズルそれぞれから排出される前記第１の調合物の流量が、複数の前記出口ノズルからの前記第１の調合物の平均流量の２０％以内とされる、請求項４７に記載の頭髪着色器具。
【請求項４９】
前記頭髪着色器具が、
前記マニホールドチャンバの前記液体入口と流通している第２の調合物液体源と、
複数の前記出口ノズルから分配される前に前記第１の調合物と第２の調合物とを混合するために、前記第１の調合物液体源及び前記第２の調合物液体源と前記マニホールドチャンバとの間に位置決めされているミキサーと、
を備えている、請求項４７に記載の頭髪着色器具。
【請求項５０】
複数の前記出口ノズルそれぞれが、前記消耗品アセンブリから外方に延在しており、前記ハンドルの長さに沿って一列に配置されている、請求項４７に記載の頭髪着色器具。
【請求項５１】
複数の前記出口ノズルそれぞれが、前記消耗品アセンブリの外面から約０．５ｃｍから約４．０ｃｍの長さを有している、請求項５０に記載の頭髪着色器具。
【請求項５２】
実質的に前記複数のノズルの方向に前記消耗品アセンブリから外方に延びる複数のスタンドオフ突起をさらに備え、前記複数のノズルそれぞれの出口が吐出面から離隔されるように、前記複数のスタンドオフ突起それぞれの長さが前記複数のノズルそれぞれの長さより長い、請求項５０に記載の頭髪着色器具。
【請求項５３】
前記複数のスタンドオフ突起が、前記複数のノズルそれぞれの前記長さより約０．１ｍｍから５．０ｍｍだけ長い、請求項５２に記載の頭髪着色器具。
【請求項５４】
前記複数のスタンドオフ突起が、前記複数のノズルの前記列から外方に、前記列の方向に配置された少なくとも２つの列に配置される、請求項５２に記載の頭髪着色器具。
【請求項５５】
前記複数のノズルを往復させるように構成された往復部材をさらに備える、請求項４７に記載の頭髪着色器具。
【請求項５６】
吐出面にエネルギーを供給するように構成されたエネルギー源をさらに備え、前記エネルギー源が、毛根及び頭皮組織のうち１つ又は複数に紫外線輻射を伝達するために前記複数のノズルを照射するように構成された紫外線輻射源と、前記調合物を前記複数の出口ノズルから分配する前に加熱するように構成された熱源とから成るグループから選択される、請求項４７に記載の頭髪着色器具。
【請求項５７】
回転可能なカップリングを有する頭髪着色器具であって、
ハンドルと、
前記ハンドルに取り外し可能に結合可能な消耗品アセンブリであって、第１の中心軸を形成する従動歯車本体を有する従動歯車を有する、消耗品アセンブリと、
第２の中心軸を形成する駆動歯車本体を有する駆動歯車であって、前記駆動歯車が、前記ハンドルに結合され、前記従動歯車が前記駆動歯車の回転時に回転されるように前記第１の中心軸及び第２の中心軸が実質的に整列するときに前記従動歯車と選択的に係合するように構成される、駆動歯車と、
非係合位置と係合位置との間の遷移を可能にするように構成された付勢部材とを備える、頭髪着色器具。
【請求項５８】
付勢部材が、前記駆動歯車及び前記従動歯車のうち一方が前記駆動歯車及び前記従動歯車のうち他方に対して径方向に滑動することを可能にするようにさらに構成される、請求項５７に記載の頭髪着色器具。
【請求項５９】
前記駆動歯車及び前記従動歯車のうち一方が、前記第１の中心軸及び第２の中心軸が整列しない前記非係合位置と、前記第１の中心軸及び第２の中心軸が実質的に整列する前記係合位置との間で移動されるときに、前記駆動歯車及び前記従動歯車のうち前記一方が、前記駆動歯車及び前記従動歯車のうち前記他方から軸方向に離れて移動するように構成される、請求項５７に記載の頭髪着色器具。
【請求項６０】
前記付勢部材が、前記第１の中心軸と実質的に整列されるはねである、請求項５７に記載の頭髪着色器具。
【請求項６１】
前記駆動歯車が前記駆動歯車本体から軸方向に突出する駆動歯を含み、前記駆動歯が、前記駆動歯車及び前記従動歯車のうち前記一方が前記非係合位置から前記係合位置に移動されるときに前記駆動歯車及び前記従動歯車のうち前記一方を前記駆動歯車及び前記従動歯車のうち前記他方から軸方向に離れて進めるために、前記従動歯車と係合するように構成された第１の斜面を有する、請求項５８に記載の頭髪着色器具。
【請求項６２】
前記従動歯車が前記従動歯車本体から軸方向に突出する従動歯を含み、前記従動歯が、前記駆動歯車及び前記従動歯車のうち前記一方が前記非係合位置から前記係合位置に移動されるときに前記駆動歯車及び前記従動歯車のうち前記一方を前記駆動歯車及び前記従動歯車のうち前記他方から軸方向に離れて進めるために、前記第１の斜面と整合するように構成された第２の斜面を有する、請求項６１に記載の頭髪着色器具。
【請求項６３】
前記駆動歯が、前記駆動歯車及び前記従動歯車のうち前記一方が前記係合位置から前記非係合位置に移動されるときに前記駆動歯車及び前記従動歯車のうち前記一方を前記駆動歯車及び前記従動歯車のうち前記他方から軸方向に離れて進めるために、前記従動歯車と整合するように構成されたカム部材を含む、請求項６１に記載の頭髪着色器具。
【請求項６４】
前記付勢部材は、前記第１の中心軸及び第２の中心軸が整列するとき、前記従動歯車を前記駆動歯車の方に軸方向に進める、請求項５７に記載の頭髪着色器具。
【請求項６５】
調合物供給システムを有する頭髪着色器具であって、
ハンドルと、
前記ハンドルに取り外し可能に結合可能な消耗品アセンブリであって、所定の容積の調合物を保持するように構成された液体容器を有する、消耗品アセンブリと、入口部材を有する液体受容チャンバとを備え、前記液体容器が前記液体受容チャンバに取り外し可能に結合可能であり、前記消耗品アセンブリを前記ハンドルに結合すると前記調合物が前記液体容器から前記液体受容チャンバに流れるようになっている、頭髪着色器具。
【請求項６６】
前記液体容器が、前記入口部材と整合して前記液体容器から前記液体受容チャンバへの前記調合物の流れを可能にするように構成されたオリフィスを含む、請求項６５に記載の頭髪着色器具。
【請求項６７】
前記オリフィスを覆う膜をさらに備える、請求項６６に記載の頭髪着色器具。
【請求項６８】
前記膜が、前記消耗品アセンブリを前記ハンドルに結合するときに前記入口部材によって貫通可能である、請求項６７に記載の頭髪着色器具。
【請求項６９】
前記液体容器が、前記オリフィスを出る前記調合物の前記流れを調節するように構成された弁をさらに備える、請求項６６に記載の頭髪着色器具。
【請求項７０】
前記液体容器が、前記液体チャンバからの調合物の前記流れを実質的に防止しながら前記調合物の気体放出を可能にするように構成された、前記オリフィスを覆う膜をさらに備える、請求項６６に記載の頭髪着色器具。
【請求項７１】
前記液体容器が、前記調合物が前記液体チャンバから流れるにつれて少なくとも部分的に崩れる可とう性壁を含む、請求項６５に記載の頭髪着色器具。
【請求項７２】
前記液体容器が、前記液体容器の長さにわたって延びる突起を含み、前記突起が、前記可とう性壁が少なくとも部分的に崩れるときに前記調合物のための流路を生成するように構成される、請求項７１に記載の頭髪着色器具。
【請求項７３】
前記液体容器が、前記液体容器に対する筐体の、対応して成形された領域と嵌合する容器形状を含む、請求項６５に記載の頭髪着色器具。
【請求項７４】
前記液体容器が、第１の調合物を保持するように構成された第１の内部嚢を含む、請求項６５に記載の頭髪着色器具。
【請求項７５】
前記液体容器が、第２の調合物を保持するように構成された第２の内部嚢をさらに含む、請求項７４に記載の頭髪着色器具。
【請求項７６】
前記調合物が、永続的頭髪染料、半永続的頭髪染料、顕色剤、コンディショナー、育毛トリートメント、ＲＯＧＡＩＮＥ（登録商標）、頭髪タンパク質トリートメント、ジスルフィド結合補修頭髪トリートメント、ＯＬＡＰＬＥＸ（登録商標）、液体頭髪トリートメント、及び液体頭皮トリートメントから成るグループから選択される、請求項６５に記載の頭髪着色器具。
【請求項７７】
調合物供給ヘッド筐体内に形成され、第１の調合物液体源と流通している液体入口を有するマニホールドチャンバと、
前記マニホールドチャンバから第１の調合物を排出するように構成された複数の出口ノズルと、
前記マニホールドチャンバ内に延びて、前記液体入口から前記複数の出口ノズルそれぞれに前記第１の調合物の前記流れを案内するように構成された分配突起とを備える、調合物供給ヘッド。
【請求項７８】
前記複数のノズルそれぞれから排出される前記第１の調合物の流量が、前記複数の出口ノズルからの前記第１の調合物の平均流量の２０％以内である、請求項７７に記載の調合物供給ヘッド。
【請求項７９】
前記マニホールドチャンバの前記液体入口と流通している第２の調合物液体源をさらに備える、請求項７７に記載の調合物供給ヘッド。
【請求項８０】
前記複数の出口ノズルから分配する前に前記第１の調合物と第２の調合物とを混合するために前記第１の調合物液体源及び前記第２の調合物液体源と前記マニホールドチャンバとの間に配置されたミキサーをさらに備える、請求項７９に記載の調合物供給ヘッド。
【請求項８１】
前記複数のノズルそれぞれが、前記調合物供給ヘッド筐体から外方に延びて、前記調合物供給ヘッド筐体の長さに沿って一列に配置される、請求項７７に記載の調合物供給ヘッド。
【請求項８２】
前記複数のノズルそれぞれが、前記調合物供給ヘッド筐体の外面から約０．５ｃｍから約４．０ｃｍの間の長さを有する、請求項８１に記載の調合物供給ヘッド。
【請求項８３】
前記複数のノズルそれぞれが、前記調合物供給ヘッド筐体の前記外面から約１．４ｃｍから約１．８ｃｍの間の長さを有する、請求項８１に記載の調合物供給ヘッド。
【請求項８４】
実質的に前記複数のノズルの方向に前記調合物供給ヘッド筐体から外方に延びる複数のスタンドオフ突起をさらに備え、前記複数のノズルそれぞれの出口が吐出面から離隔されるように、前記複数のスタンドオフ突起それぞれの長さが前記複数のノズルそれぞれの前記長さより長い、請求項８１に記載の調合物供給ヘッド。
【請求項８５】
前記複数のスタンドオフ突起が、前記複数のノズルそれぞれの前記長さより約０．１ｍｍから５．０ｍｍだけ長い、請求項８４に記載の調合物供給ヘッド。
【請求項８６】
前記複数のスタンドオフ突起が、前記調合物供給ヘッド筐体の長さに沿って１つ又は複数の列に配置される、請求項８４に記載の調合物供給ヘッド。
【請求項８７】
前記複数のスタンドオフ突起が、前記複数のノズルの前記列から外方に前記列の方向に配置された少なくとも２つの列に配置される、請求項８６に記載の調合物供給ヘッド。
【請求項８８】
前記複数のノズルを往復させるように構成された往復部材をさらに備える、請求項７７に記載の調合物供給ヘッド。
【請求項８９】
調合物供給ヘッド筐体内に形成され、第１の調合物液体源と流通している液体入口を有するマニホールドチャンバと、
前記マニホールドチャンバから第１の調合物を排出するように構成された複数の出口ノズルと、
前記マニホールドチャンバ内に延びて、前記液体入口から前記複数の出口ノズルそれぞれに前記第１の調合物の前記流れを案内するように構成された分配突起と、
吐出面にエネルギーを供給するように構成されたエネルギー源とを備える、調合物供給ヘッド。
【請求項９０】
前記複数のノズルそれぞれから排出される前記第１の調合物の流量が、前記複数の出口ノズルからの前記第１の調合物の平均流量の２０％以内である、請求項８９に記載の調合物供給ヘッド。
【請求項９１】
前記マニホールドチャンバの前記液体入口と流通している第２の調合物源をさらに備える、請求項８９に記載の調合物供給ヘッド。
【請求項９２】
前記複数の出口ノズルから分配する前に前記第１の調合物と第２の調合物とを混合するために前記第１の調合物液体源及び前記第２の調合物液体源と前記マニホールドチャンバとの間に配置されたミキサーをさらに備える、請求項９１に記載の調合物供給ヘッド。
【請求項９３】
前記エネルギー源が、前記複数のノズルを照射して、毛根及び頭皮組織のうち１つ又は複数に紫外線輻射を伝達するように構成された紫外線輻射源である、請求項８９に記載の調合物供給ヘッド。
【請求項９４】
前記エネルギー源が、前記複数の出口ノズルから排出する前に前記調合物を加熱するように構成された熱源である、請求項８９に記載の調合物供給ヘッド。
【請求項９５】
前記複数のノズルそれぞれが、前記調合物供給ヘッド筐体から外方に延びて、前記調合物供給ヘッド筐体の長さに沿って一列に配置される、請求項８９に記載の調合物供給ヘッド。
【請求項９６】
前記複数のノズルそれぞれが、前記調合物供給ヘッド筐体の外面から約０．５ｃｍから約４．０ｃｍの間の長さを有する、請求項９５に記載の調合物供給ヘッド。
【請求項９７】
前記複数のノズルそれぞれが、前記調合物供給ヘッド筐体の前記外面から約１．４ｃｍから約１．８ｃｍの間の長さを有する、請求項９５に記載の調合物供給ヘッド。
【請求項９８】
実質的に前記複数のノズルの方向に前記調合物供給ヘッド筐体から外方に延びる複数のスタンドオフ突起をさらに備え、前記複数のノズルそれぞれの出口が吐出面から離隔されるように、前記複数のスタンドオフ突起それぞれの長さが前記複数のノズルそれぞれの前記長さより長い、請求項９５に記載の調合物供給ヘッド。
【請求項９９】
前記複数のスタンドオフ突起が、前記複数のノズルそれぞれの前記長さより約０．１ｍｍから５ｍｍだけ長い、請求項９８に記載の調合物供給ヘッド。
【請求項１００】
前記複数のスタンドオフ突起が、前記調合物供給ヘッド筐体の長さに沿って１つ又は複数の列に配置される、請求項９８に記載の調合物供給ヘッド。
【請求項１０１】
前記複数のスタンドオフ突起が、前記複数のノズルの前記列の両側に配置された少なくとも２つの列に配置される、請求項１００に記載の調合物供給ヘッド。
【請求項１０２】
前記複数のノズルを往復させるように構成された往復部材をさらに備える、請求項８９に記載の調合物供給ヘッド。
【発明の詳細な説明】
【技術分野】
【０００１】
［関連出願の相互参照］
本出願は、２０１７年９月２９日に出願された米国特許出願第１５／７２１６５９号、２０１７年９月２９日に出願された米国特許出願第１５／７２１６６８号、２０１７年９月２９日に出願された米国特許出願第１５／７２１６７８号、及び２０１７年９月２９日に出願された米国特許出願第１５／７２１６８２号に関し、それらの開示全体は、すべての目的のために参照により本明細書に組み込まれる。
【先行技術文献】
【特許文献】
【０００２】
【特許文献１】米国特許出願第１４／５８６１３８号明細書
【特許文献２】米国特許出願第１５／３３９５５１号明細書
【特許文献３】米国特許出願第１４／５７２２５０号明細書
【特許文献４】米国特許出願第１４／５５４７８９号明細書
【発明の概要】
【課題を解決するための手段】
【０００３】
一態様では、本開示は、特に、調合剤供給器具とともに使用されるカップリングなどの駆動シャフトカップリングの代表的な実施形態を対象とする。駆動シャフトカップリングは、一般に、駆動歯車と従動歯車とを含み、駆動歯車及び従動歯車のうち一方は、軸方向の平行移動を可能にするために付勢部材を有する。駆動シャフトカップリングは、一般に、駆動歯車から従動歯車に回転を伝達するように構成される。一態様では、駆動シャフトカップリングは、カップリングが非係合位置から係合位置まで径方向に滑動するときに、駆動歯車と従動歯車との整列及び結合が可能である。
【０００４】
本明細書で説明する一実施形態によれば、駆動シャフトカップリングが提供される。駆動シャフトカップリングは、一般に、第１の中心軸を形成する駆動歯車本体を有する駆動歯車と、第２の中心軸を形成する従動歯車本体を有する従動歯車であって、従動歯車が駆動歯車の回転時に回転されるように第１の中心軸及び第２の中心軸が実質的に整列するときに駆動歯車が従動歯車と選択的に係合するように構成される、従動歯車と、駆動歯車及び従動歯車のうち一方が駆動歯車及び従動歯車のうち他方に対して非係合位置と係合位置との間で径方向に滑動することを可能にするように構成された付勢部材とを含む。
【０００５】
本明細書で説明する別の実施形態によれば、選択的係合カップリングが提供される。選択的係合カップリングは、一般に、第１の中心軸を形成する駆動歯車本体を有する駆動歯車であって、駆動歯を有する、駆動歯車と、第２の中心軸を形成する従動歯車本体を有しかつ従動歯を有する従動歯車であって、従動歯車が駆動歯車の回転時に回転されるように第１の中心軸及び第２の中心軸が実質的に整列するときに駆動歯が従動歯と選択的に係合するように構成される、従動歯車と、駆動歯車及び従動歯車のうち一方が、第１の中心軸及び第２の中心軸が整列しない非係合位置と第１の中心軸及び第２の中心軸が実質的に整列する係合位置との間で従動歯車に対して駆動歯車を径方向に滑動させるときに駆動歯車及び従動歯車のうち他方から少なくとも軸方向に離れて移動することを可能にするように構成された付勢部材とを含む。
【０００６】
本明細書で説明する別の実施形態によれば、カップリングを係合する方法が提供される。方法は、一般に、駆動歯車及び従動歯車のうち少なくとも一方を駆動歯車及び従動歯車のうち他方から軸方向に離れて移動させながら、駆動歯車及び従動歯車のうち一方を駆動歯車及び従動歯車のうち他方と実質的に軸方向に整列するように滑動させるステップと、駆動歯車が従動歯車と実質的に軸方向に整列しているときに駆動歯車及び従動歯車のうち少なくとも一方を駆動歯車及び従動歯車のうち他方の方に軸方向に進めるステップと、駆動歯車の駆動歯を従動歯車の従動歯と係合させるステップとを含む。
【０００７】
本明細書で説明する実施形態のいずれかによれば、駆動歯車及び従動歯車のうち一方は、駆動歯車及び従動歯車のうち他方から軸方向に離れて移動するように構成され得る。
【０００８】
本明細書で説明する実施形態のいずれかによれば、駆動歯車及び従動歯車のうち一方が、第１の中心軸及び第２の中心軸が整列しない非係合位置と第１の中心軸及び第２の中心軸が実質的に整列する係合位置との間で移動されるときに、従動歯車は駆動歯車から軸方向に離れて移動するように構成され得る。
【０００９】
本明細書で説明する実施形態のいずれかによれば、付勢部材は、第２の中心軸と実質的に整列されるバネであり得る。
【００１０】
本明細書で説明する実施形態のいずれかによれば、駆動歯車は駆動歯車本体から軸方向に突出する駆動歯をさらに含み、駆動歯は、駆動歯車及び従動歯車のうち一方が非係合位置から係合位置に移動されるときに駆動歯車及び従動歯車のうち一方を駆動歯車及び従動歯車のうち他方から軸方向に離れて進めるために、従動歯車と係合するように構成された第１の斜面を有する。
【００１１】
本明細書で説明する実施形態のいずれかによれば、従動歯車は従動歯車本体から軸方向に突出する従動歯をさらに含み、従動歯は、駆動歯車及び従動歯車のうち一方が非係合位置から係合位置に移動されるときに駆動歯車及び従動歯車のうち一方を駆動歯車及び従動歯車のうち他方から軸方向に離れて進めるために、第１の斜面と整合するように構成された第２の斜面を有する。
【００１２】
本明細書で説明する実施形態のいずれかによれば、駆動歯は、駆動歯車及び従動歯車のうち一方が係合位置から非係合位置に移動されるときに駆動歯車及び従動歯車のうち一方を駆動歯車及び従動歯車のうち他方から軸方向に離れて進めるために、従動歯車と整合するように構成されたカム部材をさらに含み得る。
【００１３】
本明細書で説明する実施形態のいずれかによれば、駆動歯は、係合位置内で従動歯の第２の係合面と選択的に係合するように構成された係合面をさらに含み得る。
【００１４】
本明細書で説明する実施形態のいずれかによれば、駆動歯は、第１の係合面が第２の係合面に当接するように駆動歯車及び従動歯車のうち一方が係合位置に移動されるときに駆動歯に対して従動歯を回転方向に位置決めするように構成されたカム部材をさらに含み得る。
【００１５】
本明細書で説明する実施形態のいずれかによれば、付勢部材は、第１の中心軸及び第２の中心軸第１の中心軸及び第２の中心軸を整列させるとき、従動歯車を駆動歯車の方に軸方向に進め得る。
【００１６】
本明細書で説明する実施形態のいずれかによれば、付勢部材は、第２の中心軸と実質的に整列されるバネであり得る。
【００１７】
本明細書で説明する実施形態のいずれかによれば、駆動歯は、駆動歯車本体から軸方向に突出し得、駆動歯車が非係合位置から係合位置に移動されるときに駆動歯車及び従動歯車のうち一方を駆動歯車及び従動歯車のうち他方から軸方向に離れるように進めるために、従動歯と係合するように構成された第１の斜面を含む。
【００１８】
本明細書で説明する実施形態のいずれかによれば、従動歯は、従動歯車本体から軸方向に突出し得、駆動歯車が非係合位置から係合位置に移動されるときに駆動歯車及び従動歯車のうち一方を駆動歯車及び従動歯車のうち他方から軸方向に離れるように進めるために、第１の斜面と整合するように構成された第２の斜面を含む。
【００１９】
本明細書で説明する実施形態のいずれかによれば、方法は、駆動歯車及び従動歯車のうち一方が滑動されて駆動歯車及び従動歯車のうち他方と実質的に軸方向に整列するときに、駆動歯車の第１の斜面を従動歯車の従動歯と整合させるステップをさらに含み得る。
【００２０】
本明細書で説明する実施形態のいずれかによれば、方法は、駆動歯車及び従動歯車のうち一方が滑動されて駆動歯車及び従動歯車のうち他方と実質的に軸方向に整列するときに従動歯車の第２の斜面を駆動歯車の第１の斜面と整合させるステップをさらに含み得る。
【００２１】
本明細書で説明する実施形態のいずれかによれば、方法は、駆動歯車及び従動歯車のうち一方が滑動されて駆動歯車及び従動歯車のうち他方と実質的に軸方向に整列しなくなるときに、駆動歯車の第１の斜面を従動歯車の第２の斜面と整合させるステップをさらに含み得る。
【００２２】
本明細書で説明する実施形態のいずれかによれば、方法は、従動歯車を駆動歯車と係合させるために、駆動歯に対する従動歯の回転方向の位置を調整するステップをさらに含み得る。
【００２３】
本概要は、発明を実施するための形態において以下でさらに説明される概念の選択を、簡略化された形態で紹介するために提供される。この「発明の概要」は、特許請求される主題の主要な特徴を特定することを意図するものではなく、特許請求される主題の範囲を判定するのを支援するものとして使用されることも意図していない。
【００２４】
本開示の主題の前述の態様及び付随する利点の多くは、以下の発明を実施するための形態を添付図面とともに参照することによって、より容易に認識され、同じくよりよく理解されよう。
【図面の簡単な説明】
【００２５】
【図１】本開示の一態様による、調合物供給器具の代表的な一実施形態の第１の斜視図である。
【図２】図１の器具の第２の斜視図である。
【図３】消耗品アセンブリ及びハンドルアセンブリを示す、図１の器具の第１の拡大斜視図である。
【図４】消耗品アセンブリ及びハンドルアセンブリを示す、図１の器具の第２の拡大斜視図である。
【図５】消耗品アセンブリ及びハンドルアセンブリの中の構成要素を示す、図１の器具の部分切り欠き窓斜視図である。
【図６】図１の器具の消耗品アセンブリのヘッドカバー内の連結管筐体の部分断面斜視図である。
【図７】ヘッドカバー内の連結管筐体を示す、図１の器具の幅の実質的な中点における線に沿って取られた、消耗品アセンブリの一部の断面側面図である。
【図８】ヘッドカバー内の連結管筐体を示す、図１の器具の幅の中点からオフセットされた線に沿って取られた、消耗品アセンブリの一部の断面側面図である。
【図９】ヘッドカバー内の連結管筐体を示す、図１の器具の高さに沿った中間点における線に沿って取られた、消耗品アセンブリの一部の断面側面図である。
【図１０】ヘッドカバー内の連結管筐体を示す、図１の器具の幅の実質的な中点における線に沿って取られた、消耗品アセンブリの一部の断面側面図である。
【図１１Ａ】非係合位置から係合位置に移動する歯車アセンブリを示す、図１の器具の駆動歯車アセンブリ及び従動歯車アセンブリの詳細な側面図である。
【図１１Ｂ】非係合位置から係合位置に移動する歯車アセンブリを示す、図１の器具の駆動歯車アセンブリ及び従動歯車アセンブリの詳細な側面図である。
【図１１Ｃ】非係合位置から係合位置に移動する歯車アセンブリを示す、図１の器具の駆動歯車アセンブリ及び従動歯車アセンブリの詳細な側面図である。
【図１１Ｄ】非係合位置から係合位置に移動する歯車アセンブリを示す、図１の器具の駆動歯車アセンブリ及び従動歯車アセンブリの詳細な側面図である。
【図１１Ｅ】非係合位置から係合位置に移動する歯車アセンブリを示す、図１の器具の駆動歯車アセンブリ及び従動歯車アセンブリの詳細な側面図である。
【図１２Ａ】係合位置から非係合位置に移動する歯車アセンブリを示す、図１の器具の駆動歯車アセンブリ及び従動歯車アセンブリの詳細な側面図である。
【図１２Ｂ】係合位置から非係合位置に移動する歯車アセンブリを示す、図１の器具の駆動歯車アセンブリ及び従動歯車アセンブリの詳細な側面図である。
【図１２Ｃ】係合位置から非係合位置に移動する歯車アセンブリを示す、図１の器具の駆動歯車アセンブリ及び従動歯車アセンブリの詳細な側面図である。
【図１２Ｄ】係合位置から非係合位置に移動する歯車アセンブリを示す、図１の器具の駆動歯車アセンブリ及び従動歯車アセンブリの詳細な側面図である。
【図１３Ａ】封止構成における消耗品アセンブリを示す、図１の器具の消耗品アセンブリの一部の斜視図である。
【図１３Ｂ】液体流れ構成における消耗品アセンブリを示す、図１の器具の消耗品アセンブリの一部の斜視図である。
【図１４Ａ】封止構成における、着色調合物を有する消耗品アセンブリを示す、図１の器具の消耗品アセンブリの一部の側面図である。
【図１４Ｂ】液体流れ構成における、着色調合物を有する消耗品アセンブリを示す、図１の器具の消耗品アセンブリの一部の側面図である。
【発明を実施するための形態】
【００２６】
以下の説明は、概して頭髪頭皮トリートメント塗布器及び調合物供給器具に関する幾つかの例を提供する。多様なトリートメント調合物を人の頭髪及び頭皮の組織に塗布することは、一般的な行為である。幾つかの例では、トリートメント調合物が頭髪又は頭皮の組織の目標部位に塗布されることは有益である。一例では、たとえば、色維持処置の間に着色染料を毛根に塗布するとき、頭皮付近の頭髪の一部にトリートメント調合物を塗布することが望ましい場合がある。別の例では、頭髪との接触を最小にしながらトリートメント調合物を直接、頭皮組織に塗布することが望ましい場合がある。
【００２７】
頭髪頭皮トリートメント調合物を塗布するための既存のシステムが、広く使用されてきた。一例では、頭髪着色キットは、一般に、その他の用途の中でも、頭髪色の外観を変えるため、又は白髪をブレンドするために使用される。既存の頭髪着色システムは、使用が難しいこと、時間がかかること、対象範囲にむらがあること、結果が予測できないこと、汚れがひどいことなどを含む、幾つかの不利な点を有する。一態様では、既存の頭髪着色システムは、頭髪の新しい部分が頭皮から成長した後に毛根をブレンド及び着色することにおいて非効率的であることがあり、ここで自然の頭髪色は染めた頭髪の残存部とは異なる。本開示は、これら及び他の必要性を解決することを対象とする。
【００２８】
頭髪着色調合物は、一般的に、少なくとも１つの染料及び別個の顕色剤を含み、それらは効果的で予測可能な結果のために、管理された割合で混合されなければならない。本明細書で使用する「着色調合物」（着色調合物ＣＦとして図１４Ａ及び図１４Ｂに概略的に示す）という用語は、一般に、染料、顕色剤、調合物、液体、又はそれらの任意の混合物のうちいずれかを指す。
【００２９】
本開示の実施形態は、頭髪及び頭皮の組織の目標領域にトリートメント調合物を塗布するように構成される。本明細書の実施形態によって塗布されるトリートメント調合物の例は、永続的頭髪染料、半永続的頭髪染料、顕色剤、コンディショナー、商標名ＲＯＧＡＩＮＥ（登録商標）で製造されるミノキシジルなどの育毛トリートメント、頭髪タンパク質トリートメント、ＯＬＡＰＬＥＸ（登録商標）などのジスルフィド結合補修頭髪トリートメント、液体頭髪トリートメント、液体頭皮トリートメントなどを含む。任意の頭髪頭皮トリートメント調合物は、本明細書で説明する器具の実施形態を使用して適切に塗布されるが、本開示は、概して、以下で説明する器具によって塗布されるトリートメント調合物の例として頭髪着色調合物を指す。しかしながら、列挙された頭髪頭皮トリートメント調合物のいずれかは、本明細書で説明する着色調合物と交換可能であることを諒解されたい。
【００３０】
前に着色された頭髪に対する維持処置の間などで目標とする毛根の着色は、一般に、頭皮付近の頭髪の部分に着色調合物を塗布することを含む。頭皮付近の自然色の頭髪の部分と前に着色された頭髪とをブレンドすることの所望の結果を達成するために、着色調合物は、一般に、根元にのみ塗布されるべきであり、着色調合物の正確な供給が必要である。
【００３１】
以下の説明は、頭髪及び／又は頭皮の目標領域にトリートメント調合物を塗布するように構成された調合剤供給機器のシステム、装置、及び／又は器具の例を提供する。本開示の器具は、一般に、ユーザの手で保持されるように構成されたハンドルと、着色調合物が排出される複数のノズルを有するヘッドとを含む。幾つかの実施形態では、ヘッドは、使用中にノズルのオリフィスを頭皮から離間させるためにノズル付近に複数のスタンドオフ突起（ｓｔａｎｄｏｆｆ  ｐｒｏｔｒｕｓｉｏｎ）をさらに含み得る。他の実施形態では、ノズルがトリートメント調合物をより十分な対象範囲に供給することができるように、たとえば往復動又は振動によってノズルが使用中に動くことができる。
【００３２】
最初に図１〜図４を参照すると、着色調合物をユーザに塗布するための調合剤供給機器１００の例示的な実施形態が図示されている。たとえば、ユーザの頭髪及び／又は頭皮の組織に着色調合物を塗布することなど、１つ又は複数の方法又は技術を実装するために複数のノズルを用いて使用する調合剤供給機器１００が示される。たとえば、上記で説明したように、幾つかの着色調合物は、頭髪の根元の部分を処理するときなど、ユーザの頭髪の目標領域に塗布されるときに改善された結果を有する。しかしながら、上記でも説明したように、従来の頭髪着色キットは、一般に、着色調合物を手動で混合して塗布するように構成されており、そのような方法は時間がかかり、一貫して望ましい結果を得るために好適ではない。加えて、従来の頭髪着色キットから得られる結果は、しばしば、高度に技量に依存しており、訓練することと所望の結果に対するプロセスに熟知していることとを必要とする。
【００３３】
本開示の実施形態を使用することによって、着色調合物を直接塗布することのみで成し遂げることは困難な方法で、着色調合物が頭髪の部分に塗布され得る。本開示の実施形態は、ユーザの体の任意の表面又は任意の他の適切な表面にトリートメント調合物を塗布するためにも好適である。
【００３４】
調合剤供給機器１００及び他の例示的な実施形態が複数のノズルを用いて使用されるように説明され図示されているが、本明細書で示して説明する調合剤供給機器は、任意の適切な調合物塗布器構成を用いて任意の適切な用途のために使用され得ることを諒解されたい。
【００３５】
まだ図１〜図４を参照すると、調合剤供給機器１００は、ハンドルアセンブリ１０４と消耗品アセンブリ２００とを有する器具として示されている。この点について、調合剤供給機器１００は、以下器具１００と呼ばれる。ハンドルアセンブリ１０４は、ハンドルシェル１１０、ポート１１４及び制御ボタン１０６を含む。ハンドルシェル１１０は、ユーザが器具１００を使用しながら手で保持するための表面を提供する。この点について、ハンドルシェル１１０は、図示の実施形態において人間工学的に成形されている。しかしながら、他の実施形態では、ハンドルシェル１１０は、内部構成要素を包含して、ユーザのために１つ又は複数の把持面を提供するのに好適な任意の形状である。さらなる実施形態では、消耗品アセンブリ２００は、ユーザのために把持面の少なくとも一部分を形成し得る。
【００３６】
ハンドルシェル１１０は、駆動歯車３１０（図３参照）を有する駆動モータ、ＣＰＵ、バッテリ、通信システム（ワイヤレスネットワーキング（ＷｉＦｉ）、無線周波数識別（ＲＦＩＤ）、近距離無線通信（ＮＦＣ）、ＢＬＵＥＴＯＯＴＨ（登録商標）など）、ポート１１４における電気及びデータのコネクタ（ユニバーサルシリアルバス（ＵＳＢ）、ファイアワイヤなど）、温度センサ、加速度計、流体センサ、データスキャナ、光源、可聴信号生成器、流体熱源、温度コントローラ、及び簡単のために図で示されていない他の好適な制御構成要素のうち１つ又は複数など、様々な器具制御構成要素を収容する。幾つかの実施形態では、ポート１１４は、器具１００の内部制御構成要素と外部構成要素／システムとの間のインターフェースを提供するため、及び／又は器具１００のバッテリを充電するために適切に使用される。
【００３７】
制御ボタン１０６は、器具１００の起動、停止及び制御の機能に対して構成され得る。幾つかの実施形態では、制御ボタン１０６押すと器具１００の電源が入り、それによって、着色調合物ＣＦが調合物容器４２４（図１４Ａ及び図１４Ｂ参照）から取り出される。これらの実施形態では、制御ボタン１０６を解除することで、着色調合物ＣＦの流れが停止され得る。幾つかの例では、制御ボタン１０６は、器具１００を初期化するために使用されてよく、又は着色調合物ＣＦの成分の混合比を計算すること、除去もしくは清浄モードに入ること、調合物を加熱すること、調合物容器から残存容積、混合比、色情報などのデータを収集すること、ポート１１４を通して信号を送受すること、ユーザ選好に関するデータを分析すること、センサからデータを収集すること、電力出力レベル、バッテリ寿命、調合物残存容積、センサデータ、データ接続情報などのステータス表示をユーザに提供すること、及び補助機器と通信することのうち１つ又は複数など、幾つかの機能を実行する状態に器具１００を置くために使用されてよい。幾つかの実施形態では、制御ボタン１０６は感圧動作が可能であり、それによって、より高い圧力を制御ボタン１０６に加えることで、たとえば調合物をより速く流動させる、ノズルをより速く運動させるなど、変動する応答を生じさせる。幾つかの実施形態では、様々な動作パラメータが、電話（参照により本明細書に組み込まれている特許文献１に詳細に記載されている）などのスマートデバイスの使用によって制御され得る。
【００３８】
図３及び図４に示すように、消耗品アセンブリ２００は、ハンドルアセンブリ１０４に取り外し可能に接合されて、器具１００を形成する。消耗品アセンブリ２００とハンドルアセンブリ１０４との外部結合部は、各アセンブリ上の分離面１１２に位置する。分離面１１２は、概して、互いに嵌合して、液体、ほこり、破片及び他の物体が器具１００に侵入しないように最小の隙間を形成するように構成される。幾つかの実施形態では、分離面１１２は、ユーザに対する人間工学的快適さのためにシャープエッジがないように、実質的に平らな構成で互いに嵌合する。代替的に、他の実施形態では、ハンドルシェル１１０は切り離されてよく、それによって消耗品アセンブリ２００は把持面の少なくとも一部分を形成する。
【００３９】
図示の実施形態では、消耗品アセンブリ２００をハンドルアセンブリ１０４から解除して除去するために、解除ボタン１１６（図４参照）が押されて、消耗品アセンブリデテント機構１２０の保持力が解除ボタン１１６から解除され得る。他の実施形態では、圧入、締め具、フックとループ、再剥離型粘着剤、磁石など、他の固定構成が適切に使用される。消耗品アセンブリ２００とハンドルアセンブリ１０４との間により大きい固定力を与え得る下部デテント１１８などの追加の固定機構も、本開示の範囲内にある。他の実施形態では、ハンドルアセンブリ１０４に消耗品アセンブリ２００を固定するために、任意の数又は組合せの固定機構が適切に使用される。
【００４０】
次に、消耗品アセンブリ２００について、より詳細に説明する。消耗品アセンブリ２００は、一般に、以下でより詳細に説明する消耗品アセンブリ２００の様々な構成要素を収容して封入するためのヘッドカバー１０８を含む。ヘッドカバー１０８の外部領域は、ヘッドカバー１０８に結合されるか又はその上に形成される連結管筐体２０２から延びる複数の杆体状のノズル２１０を含む。杆体状のノズル２１０は、器具１００を使用するときに、ノズル２１０の終端における複数の出口開口２１２を通って着色調合物ＣＦを排出するように構成される。幾つかの実施形態では、図に示すように、ノズル２１０は、一般に、器具１００の長さに沿った方向にある、ヘッドカバー１０８の長さに沿った１つ又は複数の列に配置される。他の実施形態では、ノズル２１０は、器具１００の長さに対して傾斜して適切に置かれる。
【００４１】
幾つかの実施形態では、ノズル２１０は、連結管筐体２０２から出口開口２１２におけるノズル２１０の終端まで、約０．５ｃｍから約４．０ｃｍの間の長さを有する。他の実施形態では、ノズル２１０は、連結管筐体２０２から出口開口２１２におけるノズル２１０の終端まで、約１．４ｃｍから約１．８ｃｍの間の長さを有する。他の実施形態では、ノズル２１０は、連結管筐体２０２から出口開口２１２におけるノズル２１０の終端まで、約１．６ｃｍの長さを有する。さらなる実施形態では、ノズルの任意の長さが適切に使用される。
【００４２】
図示の実施形態では、複数のスタンドオフ突起２２０が、１つ又は複数の列内で、ヘッドカバー１０８から実質的にノズル２１０の方向に外方に延びる。この点について、実質的にノズル２１０の方向にとは、ノズル２１０の長さに沿った方向の約２５度の角度内にあることを指すことが意図されている。図示の実施形態では、突起２２０の第１の列及び第２の列は、杆体状のノズル２１０の単一の列の両側に沿って配置される。幾つかの実施形態では、スタンドオフ突起２２０は、複数のノズル２１０に対して傾斜して配設され得る。（たとえば参照により本明細書に組み込まれている特許文献２の図４参照。）
【００４３】
幾つかの実施形態では、スタンドオフ突起２２０それぞれは、スタンドオフ突起２２０の終端とノズル２１０の出口開口２１２とが実質的に同一平面であるように、（ヘッドカバー１０８とスタンドオフ突起２２０の終端との間で測定する）ある長さを有する。他の実施形態では、スタンドオフ突起２２０が（ヘッドカバー１０８とノズル２１０の終端との間で測定する）ノズル２１０の長さより長くなるように、スタンドオフ突起２２０は（ヘッドカバー１０８からスタンドオフ突起２２０の終端までの）ある長さを有する。この点について、使用中、スタンドオフ突起２２０は、頭皮の局部などの塗布面と接触し、ノズル２１０の出口開口２１２を塗布面から離隔させて、出口開口２１２を通る着色調合物ＣＦの排出のための隙間（たとえば図７の高さの差ｘ参照）を与えることになる。スタンドオフ突起２２０が複数のノズル２１０より長い実施形態では、スタンドオフ突起２２０は、複数のノズル２１０それぞれの長さより約０．１ｍｍから５．０ｍｍだけ長い。他の実施形態では、スタンドオフ突起２２０は、複数のノズル２１０それぞれの長さより約０．５ｍｍから１．５ｍｍだけ長い。他の実施形態では、スタンドオフ突起２２０は、複数のノズル２１０それぞれの長さより約１．０ｍｍ長い。
【００４４】
次に図５に示す器具１００の部分切り取り図を参照すると、ノズル２１０を通して着色調合物ＣＦを施すように構成された器具１００の内部構成要素が、次に説明される。示すように、第１の調合物チューブ４０４及び第２の調合物チューブ４０６は、染料、顕色剤又は他の調合物のうち１つを、混合してノズル２１０に分配するために、液体容器４２４（図１４Ａ及び図１４Ｂ参照）から連結管筐体２０２に移送するように構成される。他の実施形態では、単一の調合物チューブ又は３つ以上の調合物チューブが、器具１００の中で適切に使用される。第１の調合物チューブ４０４及び第２の調合物チューブ４０６は、着色調合物ＣＦを液体容器４２４から連結管筐体２０２まで流動させるための複数のローラーから成るポンプ３４０の後ろに経路指定される。図示の実施形態では、蠕動ポンプ３４０が使用される。この点について、蠕動タイプのポンプの１つの利点は、そのポンプが自吸式であることである。しかしながら、他の実施形態では、着色調合物ＣＦを液体容器４２４から連結管筐体２０２に取り出すために、任意の適切なポンプ又は一連のポンプが使用される。
【００４５】
ポンプ３４０は、ハンドルシェル１１０内に配設された適切なモータ（図示せず）によって駆動される。モータは、杆体状の駆動シャフト３０２を介して駆動歯車３１０を回転駆動させ得る。駆動歯車３１０は、他の可能な構成要素の中でも、ポンプ３４０及び往復ホイール２０６（図６参照、以下でより詳細に説明する）のうち１つ又は複数を含む、器具１００の様々な構成要素を駆動するように構成された従動歯車３２０と整合する。駆動歯車３１０と従動歯車３２０とが整合することで、歯車３１０及び３２０が、たとえば、器具１００を組み立てる間に消耗品アセンブリ２００がハンドルシェル１１０の中に滑動／挿入される方向に、径方向にともに滑動することによってかみ合うことが可能になる。歯車３１０と３２０とが径方向にかみ合うことは、器具１００を組み立てる間に、従動歯車３２０が駆動歯車３１０から軸方向に離れて移動することを可能にするように構成された軸方向バネ３３０として示される付勢部材によって成し遂げられる。歯車３１０と３２０との径方向のかみ合いについては、以下でより詳細に説明する。歯車３１０と３２０との径方向のかみ合いの一例について、本明細書で図示して説明するが、他の適切な歯車かみ合い方式も、本開示の範囲内にある。
【００４６】
連結管筐体２０２について、ここでより詳細に説明する。図６〜図１０を参照すると、ヘッドカバー１０８内の連結管筐体２０２の様々な切り取り図が示されている。複数のノズル２１０は連結管筐体２０２の表面から延びており、それによって、ユーザが器具１００を表面、たとえば頭皮上で通過させるときにユーザの頭髪の部分が複数のノズル２１０の間を通過する。幾つかの実施形態では、複数のノズル２１０は、複数のノズル２１０の列の方向に沿って、連結管筐体２０２の往復運動によって往復するように構成される。この点について、連結管筐体２０２は、ヘッドカバー１０８に対して平行移動する。列の方向に沿ったノズル２１０の往復運動によって、器具１００が複数のノズル２１０の列に対して垂直方向に表面上を通るときに、ノズル２１０それぞれの間の表面の領域を着色調合物ＣＦが覆うことが可能になる。この点について、表面上で重複して器具１００を通過させることを必要とすることなく、複数のノズル２１０の下の全表面が着色調合物によって覆われ得る。他の実施形態では、器具のノズル２１０は、使用中に振動する（ｏｓｃｉｌｌａｔｅ）、ノズル２１０の長さに沿って往復運動する、振動する（ｖｉｂｒａｔｅ）、又は静止状態を保持するように構成される。
【００４７】
一実施形態では、ノズル２１０の動きは、モータが往復ホイール２０６を回転させることによって与えられる。往復ホイール２０６は、連結管筐体２０２内の往復スロット２０８と整合するように構成された往復突起２０４を含む。往復ホイール２０６が回転するにつれて、往復突起２０４は、往復スロット２０８内で器具１００の本体を横切る方向に平行移動し、それゆえ連結管筐体２０２を器具１００の本体に沿った方向に平行移動させる。幾つかの実施形態では、往復運動は、隣接するノズル２１０の間の間隔の半分より大きい振幅とともに、およそ５〜６０Ｈｚの範囲内の周波数を有する。他の実施形態では、連結管筐体２０２の往復運動の振幅は、隣接するノズル２１０の間の間隔の約０．５倍と隣接するノズル２１０の間の間隔の約１．５倍との間である。他の実施形態では、ノズル２１０の運動を制御するための任意の適切な配置が使用される。別の態様では、ノズル２１０の運動は、手袋をはめた指が調合物を根元及び生え際の領域に擦り込むことをシミュレートしており、頭髪領域に対する着色の正確な制御がもたらされる。
【００４８】
連結管筐体２０２は、調合物容器４２４からの着色調合物ＣＦ成分を混合、処理及び排出制御するための複数のチャンバを含む。製造及び組み立ての目的で、連結管筐体２０２は、組み立てピン２１８及び組み立てスリーブ２１６などの組み立て補助具を含み得る。これらの実施形態では、組み立てピン２１８は、構成要素を結合するために組み立てスリーブ２１６内に挿入される。この点について、圧入又は粘着剤が、結合を補強するために使用され得る。同様に、他の実施形態では、連結管筐体２０２を形成するため及び／又は組み立てるために、より多い又はより少ない数の要素（ｐｉｅｃｅ）が使用され得る。
【００４９】
一態様では、連結管筐体２０２の複数のチャンバは、複数のノズル２１０それぞれを通して着色調合物ＣＦの均一な排出をもたらすように配置され、構成される。この点について、幾つかの実施形態では、複数のノズル２１０それぞれから排出される着色調合物ＣＦの流量は、複数のノズル２１０のすべてからの着色調合物ＣＦの平均流量の約２０％以内である。連結管筐体２０２による流量制御で、着色調合物ＣＦを表面に均一に分配することが可能になる。他の実施形態では、複数のノズル２１０それぞれから排出される着色調合物ＣＦの流量は、複数のノズル２１０のすべてからの着色調合物ＣＦの平均流量の約１５％以内である。またさらなる実施形態では、複数のノズル２１０それぞれから排出される着色調合物ＣＦの流量は、複数のノズル２１０のすべてからの着色調合物ＣＦの平均流量の約１０％以内である。さらなる実施形態では、複数のノズル２１０それぞれから排出される着色調合物ＣＦの流量は、複数のノズル２１０のすべてからの着色調合物ＣＦの平均流量の約５％以内である。
【００５０】
調合物容器４２４からの着色調合物ＣＦ成分の混合、処理及び排出を制御するのに好適な連結管筐体２０２のチャンバ構成について、次により詳細に説明する。図に示すチャンバ構成が以下で説明されるが、連結管筐体２０２のチャンバ構成は、上記で説明した混合及び流量特性を成し遂げるために任意の好適な順序又はレイアウトを代わりに有してよいことを諒解されたい。他の実施形態では、着色調合物ＣＦの成分の混合は、ポンプ３４０と連結管筐体２０２への入口との間など、連結管筐体２０２の外部で生じる。
【００５１】
図６から参照を開始すると、連結管筐体２０２のチャンバの一部の部分断面図が示されている。上述のように、連結管筐体２０２は、第１の調合物チューブ４０４及び第２の調合物チューブ４０６から着色調合物ＣＦの成分を受けることができる。図示の実施形態では、着色調合物ＣＦの成分は、入口ａ及びｂ（図７参照）において連結管筐体２０２に入り、出口ｈ、ｉ、ｊ及びｋ（図１０参照）において連結管筐体２０２を出る。着色調合物ＣＦの成分の流れについて、以下で詳述する。
【００５２】
図７を参照すると、図７は、器具１００の幅の実質的な中点における線に沿って取られた側面断面図を示しており、着色調合物ＣＦの第１の成分は第１の調合物チューブ４０４を通って、第１のチャンバ２３０に通じる入口フローポイントａに流れる。同様に、着色調合物ＣＦの第２の成分は、第２の調合物チューブ４０６を通って、第１のチャンバ２３０に通じる入口フローポイントｂに流れる。図に示さないが、単一の入口又は３つ以上の入口など、任意の数の入口も、本開示の範囲内にある。顕色剤又は複数の色の染料を使用する場合、着色調合物ＣＦを出口開口２１２を通して排出する前に、成分は一緒に混合されなければならない。着色調合物ＣＦの成分の何らかの混合が第１のチャンバ２３０内で生じる場合があるが、完全に混合するために、成分は、スタティックミキサー２３２を通ってフローポイントｃの方に第２のチャンバ２４０まで流れる。スタティックミキサー２３２を通る流れは、着色調合物ＣＦの成分が第２のチャンバ２４０に到達する前に、成分が適切に混合されることを確実にする。上述のように、混合された成分は、ここでは全体的に、着色調合物ＣＦと呼ばれる。
【００５３】
図８を参照すると、図８は、器具１００の幅の中点から（ページから外方に）オフセットする線に沿って取られた側面断面図を示しており、着色調合物ＣＦの流れは、第２のチャンバ２４０から第３のチャンバ２５０の中に継続する。第３のチャンバ２５０は、連結管筐体２０２の反対側の同等チャンバ２５２（図９に部分的に示す）と鏡面対称であり、それによって、着色調合物ＣＦの流れは、第２のチャンバ２４０内のフローポイントｃにおいて、第３のチャンバ２５０と連結管筐体２０２の反対側の鏡面対称チャンバ２５２との２つの通路の中に分かれる。着色調合物ＣＦは、第３のチャンバ２５０から第４のチャンバ２６０におけるフローポイントｄまで継続して流れる。図９に見られるように、鏡面対称経路は、フローポイントｃから鏡面対称の第３のチャンバ２５２を通って鏡面対称の第４のチャンバ２６２におけるフローポイントｅまで流れる。
【００５４】
図９を参照すると、図９は、図６〜図８に示す断面切断部に対して垂直な、器具１００の高さに沿った中間点における線に沿って取られた側面断面図を示しており、フローポイントｄ及びフローポイントｅにおける着色調合物ＣＦの流れは、第５のチャンバ２７０におけるフローポイントｆ及び第６のチャンバ２７２におけるフローポイントｇの方への二重の流路にさらに分かれる。着色調合物ＣＦの流れは、フローポイントｄ及びフローポイントｅにおいて分かれ、それによって、フローポイントｆにおける着色調合物ＣＦは、第４のチャンバ２６０と鏡面対称の第４のチャンバ２６２の両方からの液体を包含する。同様に、フローポイントｇにおける着色調合物ＣＦは、第４のチャンバ２６０と鏡面対称の第４のチャンバ２６２の両方からの液体を包含する。
【００５５】
着色調合物ＣＦはフローポイントｄ及びｅからフローポイントｆに流れるので、着色調合物ＣＦは、第１の分配突起２７４の回りを進む。同様に、着色調合物ＣＦはフローポイントｄ及びｅからフローポイントｇに流れるので、着色調合物ＣＦは、第２の分配突起２７６の回りを進む。幾つかの実施形態では、上記で説明したように、第１の分配突起２７４及び第２の分配突起２７６は、第５のチャンバ２７０及び第６のチャンバ２７２における液体の均一な流量を確実にすることを助け、それによって、ノズル２１０からの排出は均一に分配される。
【００５６】
図１０を参照すると、図１０は、（図６におけるように）器具１００の幅の実質的な中点における線に沿って取られた部分側面断面図を示しており、フローポイントｆ及びｇにおける着色調合物ＣＦの流れは第７のチャンバ２８０及び第８のチャンバ２８２の中に進み、ここで流れはさらに二重流路の中に分かれ、第７のチャンバ２８０及び第８のチャンバ２８２それぞれはノズル２１０の中への２つの出口を有するプレナムとしての役割を果たす。第７のチャンバ２８０における流れは、フローポイントｆから出口開口２１２における排出ポイントｈ及び排出ポイントｉの方に進み、複数のノズル２１０それぞれの中のノズルチャンバ２９２に入る。同様に、第８のチャンバ２８２における流れは、フローポイントｇから出口開口２１２における排出ポイントｊ及び排出ポイントｋの方に進み、複数のノズル２１０それぞれの中のノズルチャンバ２９２に入る。上記で説明したように、複数のノズル２１０それぞれからの各排出ポイントｈ、ｉ、ｊ及びｋにおける着色調合物ＣＦの流量は、複数のノズル２１０のすべてからの着色調合物ＣＦの平均流量の特定の割合以内であり得る。
【００５７】
第７のチャンバ２８０に隣接して第１の容積チャンバ２８４及び第２の容積チャンバ２８６があり、第８のチャンバ２８２に隣接して第３の容積チャンバ２８８及び第４の容積チャンバ２９０が所定の容積チャンバ２８４、２８６、２８８及び２９０は、たとえば、着色調合物ＣＦに加えるオプションの熱源の膨張効果による液体膨張（以下でより詳細に説明する）、流体振動低減、着色調合物ＣＦの一定の排出を確実にする追加のバラスト容積などのためのロケーションを提供する。
【００５８】
上述のように、幾つかの実施形態では、エネルギー源（たとえば、熱源、図示せず）が、調合物の温度を上げるために着色調合物ＣＦの流れの経路中の任意のロケーションに追加されてよく、又はエネルギー源が、塗布面、たとえば頭皮に熱が伝達されるように、器具１００に追加されてよい。この点について、幾つかの調合物に対して、高めた温度においてユーザに調合物を塗布すること、又は塗布面を加熱することが、ユーザの心地よさ、調合物の効能のいずれか又は両方において有益であり得る。これらの実施形態では、熱源は、調合物又は塗布面にエネルギーを供給するように構成される。幾つかの実施形態では、エネルギー源は、複数のノズル２１０を照射して、毛根及び／又は頭皮組織などの塗布面に紫外線輻射を伝達するように構成された紫外線輻射源である。他の実施形態では、エネルギー源は、複数の出口ノズル２１０から排出する前に調合物を加熱するように構成された熱源である。
【００５９】
次に図１１Ａ〜図１２Ｄを参照すると、駆動歯車３１０及び従動歯車３２０の選択的係合カップリングが、より詳細に説明される。ポンプ３４０、連結管筐体２０２の往復運動、及び器具１００の任意の他の好適なシステムを駆動するために、１つ又は複数のモータが、上述のように、ハンドルアセンブリ１０４内に設けられてよい。他の実施形態では、モータは消耗品アセンブリ２００内に含まれてよいが、消耗品アセンブリ２００は使い捨てであって、特定の使用の持続時間の後に取り換えられるように意図されている。モータがハンドルアセンブリ１０４内に配置される実施形態では、付勢部材を有する選択的係合カップリングが、駆動歯車３１０と従動歯車３２０とのかみ合いを可能にするために含まれる。
【００６０】
一般に、カップリングは、消耗品アセンブリ２００がハンドルアセンブリ１０４内に滑動／挿入されるときに、駆動歯車３１０と従動歯車３２０とのかみ合いを可能にするように構成される。より具体的には、カップリングは、駆動歯車３１０及び従動歯車３２０が、消耗品アセンブリ２００がまだハンドルアセンブリ１０４内に固定されない非係合位置から、消耗品アセンブリ２００がハンドルアセンブリ１０４内に完全に挿入されて駆動歯車３１０が従動歯車３２０に回転運動を伝達するように構成され得るように駆動歯車３１０と従動歯車３２０との軸が実質的に整列される係合位置に、互いに対して径方向に滑動することを可能にする。
【００６１】
次に、駆動歯車３１０及び従動歯車３２０の構成要素について、より詳細に説明する。上記で説明したように、駆動歯車３１０は、駆動軸を形成する杆体状の駆動シャフト３０２を介してモータによって回転方向に駆動される。幾つかの実施形態では、駆動歯車３１０は、駆動歯車３１０の強化されたカップリングを杆体状の駆動シャフト３０２に与えるための駆動スリーブ３１２を含み得る。同様に、従動歯車が杆体状の従動シャフト３３２を回転させるように、従動歯車３２０は、駆動歯車３１０によって回転方向に駆動される。杆体状の従動シャフト３３２は従動軸を形成する。幾つかの実施形態では、従動歯車３２０は、従動歯車３２０の強化されたカップリングを杆体状の従動シャフト３３２に与えるために従動スリーブ３２２を含み得る。
【００６２】
上記で簡単に説明したように、歯車３１０と３２０とが径方向に滑動してかみ合うことは、軸方向バネ３３０として示される付勢部材によって成し遂げられ、ここで付勢部材は、消耗品アセンブリ２００をハンドルアセンブリ１０４内に組み立てる間に、従動歯車３２０が駆動歯車３１０から軸方向に離れて移動することを可能にするように構成される。歯車３１０及び３２０が非係合位置（図１１Ａ）から係合位置（図１１Ｅ）に径方向に滑動することは、駆動歯車３１０の駆動歯３１４と従動歯車３２０の従動歯３２４との整合によって成し遂げられる。図示の実施形態では、駆動歯３１４は、従動歯３２４の第２の斜面３２６と係合するように構成された第１の斜面３１６を含む。駆動歯車３１０と従動歯車３２０とが径方向に滑動した結果として、第１の斜面３１６は第２の斜面３２６と整合する（図１１Ｂ）。駆動歯車３１０が係合位置の方に径方向に滑動されるのにつれて、第１の斜面３１６と第２の斜面３２６との整合は、従動歯車３２０を駆動歯車３１０から径方向に離れて進め（図１１Ｃ）、軸方向バネ３３０を圧縮して駆動歯車３１０が係合位置の方に径方向に滑動し続けることを可能にする。
【００６３】
駆動歯車３１０が係合位置に近づくにつれて、軸方向バネ３３０は、従動歯車３２０を駆動歯車３１０の方に軸方向に進め、駆動歯３１４と従動歯３２４との係合を開始する（図１１Ｄ）。歯車３１０及び３２０が係合位置にありながら駆動歯車３１０が回転される（図１１Ｅ）ので、駆動歯車３１０の駆動歯係合面３１８は従動歯車３２０の従動歯係合面３２８に当接し、それによって、駆動歯車３１０の回転運動が従動歯車３２０に伝達されて、器具１００の構成要素を駆動する。図示の実施形態では、駆動歯車３１０は、単一の回転方向内で従動歯車３２０と係合する。しかしながら、他の実施形態では、駆動歯車３１０は、両回転方向内で従動歯車３２０と係合するように構成される。
【００６４】
消耗品アセンブリ２００をハンドルアセンブリ１０４から分解するとき、駆動歯車３１０と従動歯車３２０との選択的係合カップリングは、必然的に解除されなければならない。駆動歯車３１０は係合位置（図１２Ａ）から非係合位置（図１２Ｄ）に径方向に滑動されるので、駆動歯３１４のカム部材３３２は従動歯３２４と係合し、再び従動歯車３２０を駆動歯車３１０から軸方向に離れて進める（図１２Ｂ）。駆動歯車３１０が係合位置から径方向に離れて滑動されるのにつれて、カム部材３３２と従動歯３２４との整合は軸方向バネ３３０を圧縮し、駆動歯車３１０が係合位置から径方向に離れて滑動し続けることを可能にする。幾つかの実施形態では、カム部材３３２は、たとえば、図１１Ｄに示す構成から図１１Ｅに示す構成への遷移において、駆動歯係合面３１８を従動歯係合面３２８の方に進めることを付加的に提供する。駆動歯車３１０は係合位置から径方向に離れて滑動し続けるので、第１の斜面３１６及び第２の斜面３２６は再び整合し（図１２Ｃ）、軸方向バネ３３０が従動歯車３２０を非係合位置において中立ポイントの方に軸方向に進めることを可能にする（図１２Ｄ）。
【００６５】
消耗品アセンブリ２００をハンドルアセンブリ１０４に対して組み立てるときの液体容器４２４（以後、パケット４２４と呼ぶ、ともに参照により本明細書に組み込まれている特許文献３及び特許文献４において詳細に説明される頭髪色パケットも参照のこと）の液体接続について、次に詳細に説明する。幾つかの実施形態では、消耗品アセンブリ２００は、１つ又は複数の色パケット４２４及び顕色剤パケット（図示しないが、外観及び機能は色パケット４２４と同様である）を含むが、他の実施形態では、単一の頭髪着色パケット４２４が適切に使用される。顕色剤を着色染料調合物とともに使用することで、より長く、最大約一か月持続する着色効果がもたらされる。着色染料と顕色剤との組合せは、一般に、永続的着色と呼ばれる一方で、顕色剤を使用せずに染料を塗布することは、通常約一週間持続する半永続的着色をもたらす。顕色剤は、複数の着色パケット４２４とともに、又は単一の着色パケット４２４とともに使用され得る。着色パケット４２４及び顕色剤パケットの出口は、それぞれ、第１の調合物チューブ４０４及び第２の調合物チューブ４０６と流通し得る。この点について、ポンプ３４０は、吸気を生成して、パケット４２４から第１の調合物チューブ４０４及び第２の調合物チューブ４０６の中に液体を引き込み、それによって、着色調合物ＣＦ成分が、第１の調合物チューブ４０４及び第２の調合物チューブ４０６を通って進み、その後フローポイントａ及びｂにおいて連結管筐体２０２の中に入る。
【００６６】
次に図１３Ａ〜図１４Ｂを参照すると、幾つかの実施形態では、消耗品アセンブリ２００は、特定の使用の持続時間の後、たとえば、着色調合物ＣＦをユーザの頭髪に一度塗布した後、廃棄するように構成される。これらの実施形態では、消耗品アセンブリ２００は、廃棄するためにハンドルアセンブリ１０４から除去され、新しい消耗品アセンブリ２００が、次に使用するためにハンドルアセンブリ１０４に設置される。小売りのために、消耗品アセンブリ２００のパケット４２４は、最初に封止部材４２０によって封止されており、それによって、着色染料及び／又は顕色剤がパケット４２４の外に漏れることはなく、汚染物質がパケット４２４に入ることはない。幾つかの実施形態では、封止部材４２０は、接続されるときにパケット４２４と調合物チューブ４０４及び４０６との間に流通を確立するためにオリフィス４２８を含む。他の実施形態では、パケット４２４と調合物チューブ４０４及び４０６との間に流通を確立するために接続されるときに封止部材４２０が突き刺されるように、封止部材４２０は貫通可能である（以下でより詳細に説明する）。貫通可能な実施形態では、封止部材４２０は、汚染物質が入ること又はパケット４２４の内容物が出ることなく、パケット４２４の気体放出を可能にするように構成された一方向又は二方向に通気性のある膜４２６である。また、さらなる実施形態では、封止部材４２０は、本明細書の実施形態のいずれかとともに使用される弁（図示せず）を含み、弁は、パケット４２４からの液体の流れを調節するように構成される。上記の機構の任意の組合せも使用され得る。
【００６７】
図示の実施形態では、消耗品アセンブリ２００がハンドルアセンブリ１０４内に挿入されるとき、消耗品アセンブリ２００は、封止部材４２０が完全なままの封止構成（図１３Ａ及び図１４Ａ参照）から封止部材４２０が開かれてパケット４２４と調合物チューブ４０４及び４０６との間の流通を確立した液体流れ構成（図１３Ｂ及び図１４Ｂ参照）に遷移する。封止部材４２０が（膜４２６を使用することなどによって）貫通可能である実施形態では、調合物チューブ４０４及び４０６の終端は、消耗品アセンブリ２００をハンドルアセンブリ１０４内に設置するときに封止部材４２０を突き刺すために、貫通部先端４３２を有する貫通部４３０を含む。
【００６８】
貫通部４３０は、その中に液体受容チャンバ４３４を形成して液体を受け入れ、パケット４２４を調合物チューブ４０４及び４０６に液体接続する。幾つかの実施形態では、パケット４２４は、パケット筐体４０２（図４参照）内に封入される。これらの実施形態では、パケット筐体４０２は、封止構成と液体流れ構成とに対応する２つの位置を含む。
【００６９】
図１３Ａに示すように、消耗品アセンブリ２００は、封止パケットデテント４１２と、さらに器具１００の終端のヘッドカバー１０８に向かって配置された液体流れパケットデテント４１０とを含む。デテント４１２の位置は、貫通部先端４３２が封止部材４２０を突き刺さないようにパケット筐体４０２の開口４０８が封止パケットデテント４１２と係合する封止構成に対応し、デテント４１０の位置は、貫通部先端４３２が封止部材４２０を突き刺すように開口４０８が液体流れパケットデテント４１０と係合する液体流れ構成に対応する（図４に示す位置において）。
【００７０】
消耗品アセンブリ２００が小売店において在庫され購買されるときなど、図１３Ａ及び図１４Ａの封止構成では、封止部材４２０はいまだ貫通されていない。この構成では、開口４０８は封止パケットデテント４１２と係合している。消耗品アセンブリ２００がハンドルアセンブリ１０４内に挿入されるにつれて、パケット筐体４０２の一部がハンドルアセンブリ１０４の一部に当接し、それによって、パケット筐体４０２は液体流れパケットデテント４１０の方に遷移する。より具体的には、パケット筐体４０２は、ヘッドカバー１０８の方に前方に（図１３Ｂの矢印の方向に）滑動し、貫通部４３０の貫通部先端４３２が封止部材４２０（たとえば、膜４２６）を突き刺す。消耗品アセンブリ２００のハンドルアセンブリ１０４への設置が完了すると、開口４０８は液体流れパケットデテント４１０と係合し、器具１００を使用する間にパケット４２４を調合物チューブ４０４及び４０６と封止された流通を保持する。
【００７１】
パケット４２４が可とう性壁を含む実施形態では、消耗品アセンブリ２００は、パケット壁が崩れるにつれてパケット４２４内の残留液体が早期に密閉するのを防ぐために、パケットの長さに沿って延びるパケット流れ突起４２２を含み、その崩れは、場合によっては、液体が調合物チューブ４０４及び４０６に流入するのを制限し、パケット４２４内の調合物の全容積を完全に使用することを妨げる。
【００７２】
類似の番号が類似の要素を参照する添付の図面に関連して上記に記載した発明を実施するための形態は、本開示の様々な実施形態の説明を意図したものであり、唯一の実施形態を表すことを意図したものではない。本開示において説明する各実施形態は、単に一例又は例示として提供されており、他の態様より好ましい又は有利であると解釈されるべきではない。本明細書で提供する例示的な例は、網羅するものでも、又は本開示を開示された厳密な形態に限定するものでもない。同様に、本明細書で説明する任意のステップは、同じ又は実質的に類似の結果を達成するために、他のステップ又はステップの組合せと交換可能であり得る。
【００７３】
上記の記載では、本開示の例示的実施形態の十分な理解を実現するために、具体的詳細が記載されている。しかしながら、本明細書で開示する実施形態は、具体的な詳細のすべてを具体化することなく実施され得ることは、当業者には明らかであろう。幾つかの例では、周知のプロセスステップは、本開示の様々な態様を不必要に不明瞭にしないために、詳細に記載されていない。さらに、本開示の実施形態は、本明細書に記載されている特徴の任意の組合せを使用する可能性があることが諒解されよう。
【００７４】
本出願は、「前方の」、「後方の」、「正面の」、「後部の」、「上向きの」、「下向きの」、「右側の」、「左側の」、「側面の」、「中央の」、「中に」、「外に」、「延ばされた」、「前進した」、「後退した」、「近接した」、「末梢の」、「中心の」など、方向に対する言及を含み得る。本出願におけるこれらの言及及び他の同様の言及は、単に、特定の実施形態を記述すること及び理解することを促進するのを支援するためであり、本開示をこれらの方向又はロケーションに制限することを意図していない。
【００７５】
本出願はまた、量及び数に言及することがある。特に明記されていない限り、そのような量及び数は、限定的とは見なされず、本出願に関連する可能な量又は数の例と見なされる。同じく、この点について、本出願は、量又は数に言及するために「複数」という用語を使用することがある。この点について、「複数」という用語は、１より多い、たとえば２、３、４、５などである任意の数であることを意味する。「約」、「およそ」などの用語は、表明された値のプラスマイナス５％を意味する。
【００７６】
本開示の原理、代表的実施形態及び動作モードが上記の説明において説明された。しかしながら、保護されることを意図する本開示の態様は、開示した特定の実施形態に限定的なものと解釈されるべきではない。さらに、本明細書で説明する実施形態は、限定的ではなく例示的と見なされるべきである。本開示の趣旨から逸脱することなく、変形形態及び変更形態が他人によって作成されてよく、均等物が使用されてよいことが諒解されよう。それに応じて、すべてのそのような変形形態、変更形態及び均等物が、主張する本開示の趣旨及び範囲内に入ることが明確に意図されている。
【符号の説明】
【００７７】
１００  調合物供給機器
１０４  ハンドルアセンブリ
１０６  制御ボタン
１０８  ヘッドカバー
１１０  ハンドルシェル
１１２  分離面
１１４  ポート
１１６  解除ボタン
１１８  下部デテント
１２０  消耗品アセンブリデテント機構
２００  消耗品アセンブリ
２０２  連結管筐体
２０４  往復突起
２０６  往復ホイール
２０８  往復スロット
２１０  ノズル
２１２  出口開口
２１６  組み立てスリーブ
２１８  組み立てピン
２２０  スタンドオフ突起
２３０  第１のチャンバ
２３２  スタティックミキサー
２３４  第１のチャンバへの入口ａ付近の流路
２３６  第１のチャンバへの入口ｂ付近の流路
２４０  第２のチャンバ
２５０  第３のチャンバ
２５２  同等チャンバ
２６０  第４のチャンバ
２６２  鏡面対称の第４のチャンバ
２７０  第５のチャンバ
２７２  第６のチャンバ
２７４  第１の分配突起
２７６  第２の分配突起
２８０  第７のチャンバ
２８２  第８のチャンバ
２８４  第１の容積チャンバ
２８６  第２の容積チャンバ
２８８  第３の容積チャンバ
２９０  第４の容積チャンバ
２９２  ノズルチャンバ
３０２  杆体状の駆動シャフト
３１０  駆動歯車
３１２  駆動スリーブ
３１４  駆動歯
３１６  第１の斜面
３１８  駆動歯係合面
３２０  従動歯車
３２２  従動スリーブ
３２４  従動歯
３２６  第２の斜面
３２８  従動歯係合面
３３０  軸方向バネ
３３２  従動シャフト、カム部材
３４０  ポンプ
４０２  パケット筐体
４０４  第１の調合物チューブ
４０６  第２の調合物チューブ
４０８  開口
４１０  液体流れパケットデテント
４１２  封止パケットデテント
４２０  封止部材
４２２  パケット流れ突起
４２４  調合物容器、液体容器、パケット、色パケット、頭髪着色パケット
４２６  一方向又は二方向に通気性のある膜
４２８  オリフィス
４３０  貫通部
４３２  貫通部先端
４３４  液体受容チャンバ
【図１】
2020534953.tif 000003
【図２】
2020534953.tif 000004
【図３】
2020534953.tif 000005
【図４】
2020534953.tif 000006
【図５】
2020534953.tif 000007
【図６】
2020534953.tif 000008
【図７】
2020534953.tif 000009
【図８】
2020534953.tif 000010
【図９】
2020534953.tif 000011
【図１０】
2020534953.tif 000012
【図１１Ａ】
2020534953.tif 000013
【図１１Ｂ】
2020534953.tif 000014
【図１１Ｃ】
2020534953.tif 000015
【図１１Ｄ】
2020534953.tif 000016
【図１１Ｅ】
2020534953.tif 000017
【図１２Ａ】
2020534953.tif 000018
【図１２Ｂ】
2020534953.tif 000019
【図１２Ｃ】
2020534953.tif 000020
【図１２Ｄ】
2020534953.tif 000021
【図１３Ａ】
2020534953.tif 000022
【図１３Ｂ】
2020534953.tif 000023
【図１４Ａ】
2020534953.tif 000024
【図１４Ｂ】
2020534953.tif 000025
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
所定の容積の調合物を保持するように構成されている液体容器と、
入口部材を有している液体受容チャンバであって、前記液体容器が前記液体受容チャンバに取り外し可能に結合可能とされ、結合時に前記入口部材が前記液体容器のオリフィスと整合されることによって、前記液体容器から前記液体受容チャンバに至る前記調合物の調節された流れが可能となる、前記液体受容チャンバと、
を備えている、調合物供給システム。
【請求項２】
前記調合物供給システムが、前記オリフィスを覆う膜を備えている、請求項１に記載の調合物供給システム。
【請求項３】
前記膜が、前記液体容器が前記液体受容チャンバに結合するときに前記入口部材によって貫通可能とされる、請求項２に記載の調合物供給システム。
【請求項４】
前記オリフィスが、前記調合物の流れが前記液体容器に対して流入及び流出するように構成されている、請求項１に記載の調合物供給システム。
【請求項５】
前記液体容器が、前記オリフィスから流出する前記調合物の流れを調節するように構成されている弁を備えている、請求項１に記載の調合物供給システム。
【請求項６】
頭髪頭皮調合物供給システムであって、
所定の容積の調合物を保持するように構成されている液体容器と、
入口部材を有している液体受容チャンバであって、前記液体容器が前記液体受容チャンバに取り外し可能に結合可能とされ、結合時に前記入口部材が前記液体容器のオリフィスと整合されることによって、前記液体容器から前記液体受容チャンバに至る前記調合物の流れが可能となる、液体受容チャンバと、
前記液体容器から前記調合物を取り出すために、前記液体受容チャンバと流通しているポンプと、
前記頭髪頭皮調合物供給システムから前記調合物を排出するように構成されている、前記ポンプと流通している調合物供給ノズルと、
を備えている、頭髪頭皮調合物供給システム。
【請求項７】
前記頭髪頭皮調合物供給システムが、前記オリフィスを覆う膜を備えている、請求項６に記載の頭髪頭皮調合物供給システム。
【請求項８】
前記膜が、前記液体容器が前記液体受容チャンバに結合するときに前記入口部材によって貫通可能とされる、請求項７に記載の頭髪頭皮調合物供給システム。
【請求項９】
前記液体容器が、前記オリフィスから流出する前記調合物の流れを調節するように構成されている弁を備えている、請求項６に記載の頭髪頭皮調合物供給システム。
【請求項１０】
前記オリフィスが、前記液体容器が前記液体受容チャンバに結合されるまで前記調合物を前記液体容器の内部に保持するように閉じられている、請求項６に記載の頭髪頭皮調合物供給システム。
【請求項１１】
杆体状のハンドルと、
前記ハンドルに取り外し可能に結合可能とされる消耗品アセンブリと、
を備えている頭髪着色器具において、
前記消耗品アセンブリが、第１の調合物液体源と選択的に流通している液体入口を具備するマニホールドチャンバと、前記マニホールドチャンバから第１の調合物を排出するように構成されている複数の出口ノズルと、前記マニホールドチャンバの内部に向かって延在している分配突起であって、前記第１の調合物の流れを前記液体入口から複数の前記出口ノズルそれぞれに方向づけるように構成されている前記分配突起とを有している、頭髪着色器具。
【請求項１２】
複数の出口ノズルそれぞれから排出される前記第１の調合物の流量が、複数の前記出口ノズルからの前記第１の調合物の平均流量の２０％以内とされる、請求項１１に記載の頭髪着色器具。
【請求項１３】
前記頭髪着色器具が、
前記マニホールドチャンバの前記液体入口と流通している第２の調合物液体源と、
複数の前記出口ノズルから分配される前に前記第１の調合物と第２の調合物とを混合するために、前記第１の調合物液体源及び前記第２の調合物液体源と前記マニホールドチャンバとの間に位置決めされているミキサーと、
を備えている、請求項１１に記載の頭髪着色器具。
【請求項１４】
複数の前記出口ノズルそれぞれが、前記消耗品アセンブリから外方に延在しており、前記ハンドルの長さに沿って一列に配置されている、請求項１１に記載の頭髪着色器具。
【請求項１５】
複数の前記出口ノズルそれぞれが、前記消耗品アセンブリの外面から約０．５ｃｍから約４．０ｃｍの長さを有している、請求項１４に記載の頭髪着色器具。
【国際調査報告】
2020534953.tif 000026
2020534953.tif 000027
2020534953.tif 000028
2020534953.tif 000029
2020534953.tif 000030
2020534953.tif 000031
2020534953.tif 000032
2020534953.tif 000033